(57)【特許請求の範囲】
【請求項１】
電気通信接続キャビネットであって、
キャビネットハウジングと、
アクティブコネクション領域と、
光ファイバスプリッタ取り付け部と、
コネクタストレージ領域と、
を備え、
前記キャビネットハウジングは、前記キャビネットハウジングの内部へのアクセスを提供するアクセス開口と、前記アクセス開口を開閉するドアと、を備えており、
前記アクティブコネクション領域は、前記キャビネットハウジングの内部に位置しており、前記アクティブコネクション領域は、複数の光ファイバアダプタを備えており、
前記複数の光ファイバアダプタの各々は、２つの光ファイバコネクタが互いに光学的に接続されるように前記２つの光ファイバコネクタを互いに結合させ、
前記光ファイバスプリッタ取り付け部は前記キャビネットハウジング内に位置しており、
前記コネクタストレージ領域は前記キャビネットハウジング内に位置しており、
前記コネクタストレージ領域は前記アクティブコネクション領域から離隔しており、
前記コネクタストレージ領域には、複数のコネクタホルダが取り外し可能に取り付けられる複数の開口が形成されており、
前記複数のコネクタホルダは複数の開口を備えており、前記複数の開口は、複数の光ファイバコネクタの複数のフェルールに複数のダストキャップが取り付けられた状態で前記複数の光ファイバコネクタを収容するように形成されていることを特徴とする電気通信接続キャビネット。
【請求項２】
前記複数の光ファイバコネクタは２つあり、前記２つの光ファイバコネクタのうちの第１の光ファイバコネクタの第１端部には第１のフェルールが備えられており、前記第１のフェルールは第１のダストキャップを収容するように形成されている請求項１の電気通信接続キャビネット。
【請求項３】
前記第１のフェルール及び前記第１のダストキャップは、前記複数のコネクタホルダのうちの１つのコネクタホルダの開口内に収容されている請求項２に記載の電気通信接続キャビネット。
【請求項４】
前記複数のコネクタホルダの各々の一方の側には開口が設けられており、前記各々のコネクタホルダの他方の側は、光ファイバコネクタと接続できないように形成されている請求項３に記載の電気通信接続キャビネット。
【請求項５】
前記第１の光ファイバコネクタが前記複数のコネクタホルダのうちの１つのコネクタホルダに保持されているとき、前記第１の光ファイバコネクタの第２端部は、前記１つのコネクタホルダの第１の側から後方に向かって突出している請求項２に記載の電気通信キャビネット。
【請求項６】
前記キャビネットハウジングの前記内部には隔壁が取り付けられており、前記隔壁は、前記複数の光ファイバアダプタが嵌る大きさの複数の開口と、前記複数のコネクタホルダが嵌る大きさの複数の開口と、を備えており、前記複数のコネクタホルダが嵌る前記複数の開口は、前記複数の光ファイバアダプタが嵌る前記複数の開口と面積が同じである請求項１に記載の電気通信接続キャビネット。
【請求項７】
前記複数の光ファイバコネクタは２つあり、前記複数のコネクタホルダの各々は、弾性コネクタ保持部材を備えており、前記弾性コネクタ保持部材は、前記２つの光ファイバコネクタのうちの第１の光ファイバコネクタが前記コネクタホルダ内に挿入されるとき、撓む請求項１に記載の電気通信接続キャビネット。
【請求項８】
前記弾性コネクタ保持部材は、前記第１の光ファイバコネクタの外側と係合する請求項７に記載の電気通信接続キャビネット。
【請求項９】
前記複数の光ファイバコネクタは２つあり、前記２つの光ファイバコネクタのうちの第１の光ファイバコネクタのフェルールは長手方向軸を有しており、前記長手方向軸は、前記第１の光ファイバコネクタが前記コネクタホルダに保持されているとき、水平となっている請求項１に記載の電気通信接続キャビネット。
【請求項１０】
前記複数のコネクタホルダの各々は、
メインハウジングと、
内側ハウジングと、
を備え、
前記メインハウジングは、上部と、底部と、１対の側部と、キャビティと、前記複数の光ファイバコネクタのうちの第１の光ファイバコネクタのフェルールにダストキャップが取り付けられている状態で前記第１の光ファイバコネクタを収容する大きさの開口端と、を有しており、
前記内側ハウジングは、前記メインハウジング内に配設されているとともにダストキャップ開口を備えており、前記ダストキャップ開口は、前記第１の光ファイバコネクタが前記メインハウジングの前記開口端に収容されているときに前記ダストキャップを収容する大きさを有しており、
前記内側ハウジングは取り外し可能な留め部を備えており、
前記留め部は、前記第１の光ファイバコネクタに取り外し可能に留められるとともに、前記第１の光ファイバコネクタを前記メインハウジング内の前記開口端内に取り外し可能に保持する請求項１に記載の電気通信接続キャビネット。
【請求項１１】
前記キャビネットハウジングの前記内部には隔壁が取り付けられており、前記複数のコネクタホルダの各々の前記メインハウジングの周りには外側クリップが嵌められており、前記外側クリップは、前記メインハウジングの前記１対の側部に沿って位置しているクリップを備えており、前記クリップは、前記隔壁に形成された開口と係合して前記コネクタホルダを前記隔壁に固定する請求項１０に記載の電気通信接続キャビネット。
【請求項１２】
前記内側ハウジングは、１対の取り外し可能な留め部を備えており、
前記１対の留め部は、前記第１の光ファイバコネクタが前記メインハウジングの前記開口端内に収容されるとき、前記第１の光ファイバコネクタに沿って延びている凹部と取り外し可能に係合する請求項１０に記載の電気通信接続キャビネット。
【請求項１３】
前記複数のコネクタホルダの各々の前記メインハウジングは、開放上部と、カバーと、を備えており、前記開放上部は、前記コネクタホルダの前記内側ハウジングが前記キャビティ内に挿入できるような大きさとなっており、前記カバーは、前記開放上部に嵌って前記開放上部を閉じるような大きさである請求項１０に記載の電気通信接続キャビネット。
【請求項１４】
前記カバーは、前記メインハウジングとは別個の部材であり、前記カバーは、前記開放上部内において前記メインハウジングに取り付けられており前記内側ハウジングを前記キャビティ内に保持する請求項１３に記載の電気通信接続キャビネット。
【請求項１５】
電気通信接続キャビネットを使用して複数の光ファイバコネクタを接続する方法であって、前記電気通信接続キャビネットは、
キャビネットハウジングと、
アクティブコネクション領域と、
光ファイバスプリッタ取り付け部と、
コネクタストレージ領域と、
を備え、
前記キャビネットハウジングは、前記キャビネットハウジングの内部へのアクセスを提供するアクセス開口と、前記アクセス開口を開閉するドアと、を備えており、
前記アクティブコネクション領域は、前記キャビネットハウジングの前記内部に位置しており、前記アクティブコネクション領域は、複数の光ファイバアダプタを備えており、
前記複数の光ファイバアダプタの各々は、２つの光ファイバコネクタが互いに光学的に接続されるように前記２つの光ファイバコネクタを互いに結合させ、
前記光ファイバスプリッタ取り付け部は、前記キャビネットハウジング内に位置しており、
前記コネクタストレージ領域は前記キャビネットハウジング内に位置しており、
前記コネクタストレージ領域は前記アクティブコネクション領域から離隔しており、
前記コネクタストレージ領域には、複数のコネクタホルダが取り外し可能に取り付けられる複数の開口が形成されており、
前記複数のコネクタホルダは複数の開口を備えており、前記複数の開口は、複数の光ファイバコネクタの複数のフェルールに複数のダストキャップが取り付けられた状態で前記複数の光ファイバコネクタを収容するように形成されており、
前記複数の光ファイバコネクタは第１の光ファイバコネクタ及び第２の光ファイバコネクタを含んでおり、
前記方法は、
前記第１の光ファイバコネクタから前記ダストキャップを取り外すことなく前記第１の光ファイバコネクタを前記複数のコネクタホルダのうちの１つのコネクタホルダ内に挿入することと、
前記第１の光ファイバコネクタを前記１つのコネクタホルダから引き抜くことと、
前記第１の光ファイバコネクタから前記ダストキャップを取り外すことと、
前記第１の光ファイバコネクタを前記複数の光ファイバアダプタのうちの１つの光ファイバアダプタ内に挿入して、前記第１の光ファイバコネクタとは反対側に位置する前記１つの光ファイバアダプタの端部内に挿入されている前記第２の光ファイバコネクタに光学的に接続させることと、
を含む方法。
【請求項１６】
前記方法は、更に、前記キャビネットハウジング内に配置されたケーブル管理構造体内で前記第１の光ファイバコネクタで終端されている光ファイバケーブルを調節することを含む請求項１５に記載の方法。
【請求項１７】
前記方法は、前記コネクタストレージ領域の前記複数の開口のうちの１つの開口から前記コネクタホルダを取り外して、前記開口内に光ファイバアダプタを取り付けることを含む請求項１５に記載の方法。
【発明の詳細な説明】
【技術分野】
【０００１】
本発明は、光ファイバケーブルを接続するキャビネットに概ね関する。
【背景技術】
【０００２】
現時点での特定の顧客団体のみを基にして決められた以上の収容スペースを有する電気通信装置を備え付けることは、その顧客団体の現時点でのニーズ及び将来のニーズの双方に応えることを目的としたものであれば、望ましいものとなる。収容スペースが余った電気通信装置を備え付けることによって、新規の顧客或いは既存の顧客に対して回路を新たに追加することが簡単となる。このような収容スペースを余らせている電気通信接続キャビネットは、既存の顧客へのサービスに必要な数よりも多い数の回路を備えるように、製造施設で事前に製造されて現場で備え付けられる。このような余剰の回路又は将来拡張する回路を顧客に接続する前に、パッチコード或いは他の接続ケーブルをキャビネット内で保護、組織化及び保管することが望ましい。
【０００３】
このような接続ケーブルは、光ファイバコネクタで終端される光ファイバパッチコードを備えることができる。光ファイバコネクタは研磨された端面を備えている。この研磨された端面は通常フェルールによって保持されている。フェルールによって、コネクタに保持されている光ファイバの位置決めを行うことができ、他の光ファイバ或いは光源に対して送受信を行う。コネクタに保持されている光ファイバへの光の伝達及び該光ファイバからの光の伝達を向上させるために、研磨された端面には汚染物質ができるだけない状態が保たれることが望ましい。光ファイバへの光の伝達及び該光ファイバからの光の伝達に悪影響を及ぼしかねない汚染物質は粉塵及び指紋に限らない。
【０００４】
ダストキャップは、光ファイバの研磨された端面を保護するためにコネクタに設けられる。しかし、このダストキャップが所定の位置にあるとき、下記の特許文献１及び特許文献２に開示されているような周知の光ファイバアダプタにコネクタを収容することはできない。特許文献１及び特許文献２の開示内容を本書に含めることとする。クロス接続を行う箇所、相互接続を行う箇所或いはその他の種類の通信交換設備又は通信接続設備の先行配線（ｐｒｅ−ｗｉｒｉｎｇ）又は保管を行う場合は、ダストキャップを取り外した状態で上述の光ファイバアダプタにコネクタを挿入することができる。アダプタに挿入されている単体のコネクタに対して、上記のアダプタは該コネクタを汚染物質から保護することができるが、これらのアダプタは、研磨された端面を保護することに関しては、ダストキャップほど効果的ではない。
【０００５】
電気通信設備内において光ファイバコネクタの研磨された端面を保護する周知の装置及び方法の改良が望まれる。
【０００６】
【特許文献１】米国特許第５３１７６６３号
【特許文献２】米国特許第６３４７８８８号
【発明の開示】
【課題を解決するための手段】
【０００７】
本発明の電気通信接続キャビネットは、キャビネットハウジングと、アクティブコネクション領域と、光ファイバスプリッタ取り付け部と、コネクタストレージ領域と、を備え、前記キャビネットハウジングは、前記キャビネットハウジングの内部へのアクセスを提供するアクセス開口と、前記アクセス開口を開閉するドアと、を備えており、前記アクティブコネクション領域は、前記キャビネットハウジングの内部に位置しており、前記アクティブコネクション領域は、複数の光ファイバアダプタを備えており、前記複数の光ファイバアダプタの各々は、２つの光ファイバコネクタが互いに光学的に接続されるように前記２つの光ファイバコネクタを互いに結合させ、前記光ファイバスプリッタ取り付け部は前記キャビネットハウジング内に位置しており、前記コネクタストレージ領域は前記キャビネットハウジング内に位置しており、前記コネクタストレージ領域は前記アクティブコネクション領域から離隔しており、前記コネクタストレージ領域には、複数のコネクタホルダが取り外し可能に取り付けられる複数の開口が形成されており、前記複数のコネクタホルダは複数の開口を備えており、前記複数の開口は、複数の光ファイバコネクタの複数のフェルールに複数のダストキャップが取り付けられた状態で前記複数の光ファイバコネクタを収容するように形成されていることを特徴とする。
【０００８】
また、本発明は、電気通信接続キャビネットを使用して複数の光ファイバコネクタを接続する方法を提供しており、前記電気通信接続キャビネットは、キャビネットハウジングと、アクティブコネクション領域と、光ファイバスプリッタ取り付け部と、コネクタストレージ領域と、を備え、前記キャビネットハウジングは、前記キャビネットハウジングの内部へのアクセスを提供するアクセス開口と、前記アクセス開口を開閉するドアと、を備えており、前記アクティブコネクション領域は、前記キャビネットハウジングの前記内部に位置しており、前記アクティブコネクション領域は、複数の光ファイバアダプタを備えており、前記複数の光ファイバアダプタの各々は、２つの光ファイバコネクタが互いに光学的に接続されるように前記２つの光ファイバコネクタを互いに結合させ、前記光ファイバスプリッタ取り付け部は、前記キャビネットハウジング内に位置しており、前記コネクタストレージ領域は前記キャビネットハウジング内に位置しており、前記コネクタストレージ領域は前記アクティブコネクション領域から離隔しており、前記コネクタストレージ領域には、複数のコネクタホルダが取り外し可能に取り付けられる複数の開口が形成されており、前記複数のコネクタホルダは複数の開口を備えており、前記複数の開口は、複数の光ファイバコネクタの複数のフェルールに複数のダストキャップが取り付けられた状態で前記複数の光ファイバコネクタを収容するように形成されており、前記複数の光ファイバコネクタは第１の光ファイバコネクタ及び第２の光ファイバコネクタを含んでおり、前記方法は、前記第１の光ファイバコネクタから前記ダストキャップを取り外すことなく前記第１の光ファイバコネクタを前記複数のコネクタホルダのうちの１つのコネクタホルダ内に挿入することと、前記第１の光ファイバコネクタを前記１つのコネクタホルダから引き抜くことと、前記第１の光ファイバコネクタから前記ダストキャップを取り外すことと、前記第１の光ファイバコネクタを前記複数の光ファイバアダプタのうちの１つの光ファイバアダプタ内に挿入して、前記第１の光ファイバコネクタとは反対側に位置する前記１つの光ファイバアダプタの端部内に挿入されている前記第２の光ファイバコネクタに光学的に接続させることと、を含む。
【発明を実施するための最良の形態】
【０００９】
添付の図面に示されている本発明の概念に基づく実施例を以下で説明する。この添付の図面全てにわたり、同一或いは類似の部品には可能な限り同じ参照番号が付されている。
【００１０】
図１に示されるキャビネット１０等の電気通信接続キャビネットは、異なる電気通信基盤ケーブルを相互に接続して組織化するために使用される。多数の光ファイバを備えるＩＦＣケーブル又はリボンケーブル等のマルチストランド電気通信サービスケーブルは、互いに遠く離れた施設同士を電子的に或いは光学的に接続するために使用される。該サービスケーブルは、キャビネット１０内に入り込み、キャビネット１０においてファンアウトモジュール３４に接続されて個々のファイバに分けられる。各ストランドはパッチコード４６に接続される。該パッチコード４６は、光ファイバコネクタで終端される。パッチコード４６の該光ファイバコネクタ（後述するコネクタ２００等）は、その後、キャビネット１０内のアダプタモジュール３６に取り付けられている光ファイバアダプタ５０の前部内に挿入される。
【００１１】
アダプタモジュール３６は、また、最大で３２本のパッチコード４６からの信号を合成して単体の光ファイバケーブルに送るスプリッターを備えることができる。図面に示されるように、スプリッターを備える４つのアダプタモジュール３６が存在する。形成されたキャビネット１０は、最大１２８本のパッチコード４６からの信号を伝送する光ファイバケーブルを最大４つまで有することができる。これら最大４つの光ファイバケーブルは、キャビネット１０内に取り付けられているスプライスモジュール３２に向かっている。これら最大で４つの光ファイバケーブルは、下流にある他の電気通信装置に信号を送るためにスプライスドローワ（ｓｐｌｉｃｅ  ｄｒａｗｅｒ）３２でスプライスされるために使用される。
【００１２】
下流の電気通信装置に接続されるが現時点では未だその接続は必要とはされてはいない回路に接続されたパッチコード４８に関し、これらのパッチコードは、特定のルートを伝ってコネクタホルダモジュール３７に向かっている。パッチコード４８を終端する光ファイバコネクタ２００は、コネクタホルダ１１０内に向かっている。これらのパッチコード４８は、下流の装置に光学的に接続されておらず、また、必要とされるまではコネクタホルダ１１０内において損傷或いは汚染から保護されている。
【００１３】
図１及び図２を参照すると、キャビネット１０はハウジング１２を備えている。該ハウジング１２は、上部２４と、両側部２６と、前壁２２と、床部２０と、を備えている。後述する図４に示されている後壁２３は、上部と両側部と前壁と床部と協力してハウジング１２内に取り付けられた装置を内部１３に閉じこめている。両側部２６は通気口２８を備えており、該通気口２８は、雨、雪及び屑が内部１３に進入することを防ぐためにシールドされている。前壁２２はフロントアクセス開口１６を備えており、該フロントアクセス開口１６によって、内部１３に取り付けられている装置の前部にアクセスできるようになっている。ドア１４は、開口１６の片側にヒンジによって取り付けられており、該ドア１４が閉じたとき風雨に対して内部１３をシールする。床部２０のケーブル進入部１８を介して、マルチストランド電気通信サービスケーブルが内部１３に供給され、スプライストレイからの顧客のケーブルは内部１３から出る。図１では開口１８は１つしか示されていないが、キャビネット１０に対して出入りするケーブルの大きさと数次第では、床部２０に開口を更に形成してもよい。
【００１４】
内部１３には各種の電気通信装置及び支持構造体が取り付けられている。後述するが、内部１３にはラック取り付け構造体が備えられている。該ラック取り付け構造体には該電気通信装置が取り付けられている。内部１３内の電気通信装置は、スプライスモジュール３２と、ファンアウトモジュール３４と、複数のアダプタモジュール３６と、複数のコネクタホルダモジュール３７と、を備えている。複数のケーブル保管スプール３０及び曲げ半径保護部材（ｂｅｎｄ  ｒａｄｉｕｓ  ｐｒｏｔｅｃｔｏｒ）４２は、この電気通信装置に隣接して取り付けられている。スプール３０及び曲げ半径保護部材４２は、内部１３に取り付けられている互いに異なる電気通信装置の前部の間でパッチコード４６、４８を案内するために、協力する。
【００１５】
内部１３において、アダプタモジュール３６及びコネクタホルダモジュール３７は、以下で述べるモジュールハウジングを備えている。該モジュール３６、３７のモジュールハウジングは、それぞれ、キャビネット１０の内部ラック取り付け構造体内に取り付けられている。アダプタモジュール３６は、まとまってグループとして提供されており、アクティブコネクションスタック（ａｃｔｉｖｅ  ｃｏｎｎｅｃｔｉｏｎ  ｓｔａｃｋ）３８を形成している。コネクタホルダモジュール３７は、まとまってグループとして提供されており、ストレージスタック（ｓｔｏｒａｇｅ  ｓｔａｃｋ）４０を形成している。サービスケーブルが開口１８を介して下方からキャビネット１０に進入するので、ファンアウトモジュール３４は、アクティブコネクションスタック３８の下方に取り付けられている。図面に示されるように形成されたキャビネット１０は、また、床部２０を通過させるように顧客のケーブルを案内しているので、スプライスモジュール３２は、アクティブコネクション領域及びストレージ領域の下方に位置している。サービスケーブル及び／又は顧客のケーブルが上部２４に形成された開口又は上部２４に隣接した開口を通ってキャビネット１０に進入する場合、ファンアウトモジュール３４及びスプライスモジュール３２は、アクティブコネクション領域及びストレージ領域の上方に配置される。
【００１６】
図３及び図４を参照すると、キャビネット１０は、フロントアクセスキャビネットとして形成されており、後壁２３を通ってアクセスできるようにはなっていない。作業の現場で技術者求められることは、フロント開口１６を介してキャビネット１０内に取り付けられている装置にアクセスして特定の顧客の回路に対して接続及び切断作業を行うだけである。内部１３の装置の背後にある各種装置同士の接続部分に対しては簡単にアクセスすることはできず、また、該接続部分は、キャビネット１０が製造施設から出荷される前に、形成されてケーブルが備え付けられる。若しくは、後壁２３を通ってアクセスすることが望まれている場合、該後壁２３はアクセスドアを備えるように形成される。
【００１７】
モジュール３４、３６、３７の前面は、（スプール３０及び曲げ半径リミッタ４２を備える）ケーブル管理構造体と光ファイバアダプタ５０とコネクタホルダ１１０との間でのパッチコード４６、４８の位置決めを良好にするために、前壁２２に対して傾斜している。
【００１８】
図３及び図４に示されるように、モジュール３６、３７におけるコネクタホルダ１１０、光ファイバアダプタ５０及びスプリッタは取り除かれている。モジュール３６、３７のそれぞれのモジュールハウジング５６は同一であり、該モジュールハウジング５６について以下で更に述べる。図１及び図２に示されるように、７つのコネクタホルダモジュール３７が提供され、各コネクタホルダモジュール３７は、３２個のコネクタホルダを備えている。これによって、合計２２４個の光ファイバコネクタ２００を収容することができる。
【００１９】
図示されたファンアウトモジュール３４は１８個のケーブルブレイクアウト部５４を備えている。各ケーブルブレイクアウト部５４は、サービスケーブル或いはサービスケーブルのサブユニットを最大１２本のファイバに分ける。これにより、ファンアウトモジュール３４は、最大１８本のサービスケーブル或いは最大１８個のサービスケーブルのサブユニットを収容し、これらのサービスケーブルから最大２１６本のパッチコード４６、４８を提供することができる。ファンアウトモジュール３４から延びる最大本数のパッチコード４６、４８の各々に対してコネクタホルダがストレージ領域に提供されている。
【００２０】
パッチコード４６、４８は、以下で説明する図２２〜図２８に示される光ファイバコネクタ２００等の光ファイバコネクタで終端される。これらのパッチコード４６、４８内の光ファイバは、上述の特許文献１に開示されており当業界では周知となっているように、光ファイバコネクタ２００内においてフェルール２０２によって保持されている研磨された端面にて終結することができる。特許文献１の開示内容を本書に含めることとする。研磨された端面及びフェルール２０２は、他の光ファイバケーブル或いは光信号設備への接続を行う際に必要とされるまで、保管或いは保護されなければならない。
【００２１】
粉塵、指紋、或いは光信号の伝送を低下させかねない他の物質からなる汚染物質から研磨された端面を保護するために、ダストキャップ２０４がフェルール２０２及び光ファイバの研磨された端面の周りに配置されることがある。取り付けられたパッチコード４６、４８内の光ファイバが他の光ファイバケーブル或いは光信号設備に接続されることが必要とされるまで、研磨された端面及びフェルールを周知の光ファイバアダプタ内に保管することはよく知られているが、光ファイバアダプタは、光ファイバコネクタ２００のフェルール２０２の周囲に固く嵌められ保持されているダストキャップ２０４と同じようには、研磨された端面を汚染物質からシールすることはしないので、光ファイバアダプタ内で保管することは理想的とは言えない。ケーブルの研磨された端面及びフェルール２０２の周囲の所定の位置にダストキャップ２０４を有している状態の光ファイバコネクタ２００を挿入することは、周知の光ファイバアダプタでは、できない。
【００２２】
図１５及び図１６を参照すると、コネクタホルダ１１０は、内部キャビティ１１４を画成しているメインハウジング１１２を備えている。開放端１１８は光ファイバコネクタ２００がキャビティ１１４内に挿入されることを可能にし、開放端１１８の反対側の開口１１６はダストキャップ２０４がコネクタホルダ１１０から突出することを可能にする。クリップ１２０はメインハウジング１１２の周囲に配置され、一対のばね取り付けクリップ１２２を備えている。一対のフランジ１２４はメインハウジング１１２の両側部１２６から延びており、ばねクリップ１２２と隣接している。クリップ１２２及びフランジ１２４は協力して以下で示される隔壁の開口にホルダ１１０を取り外し可能に取り付ける。
【００２３】
メインハウジング１１２は、また、底部１３０を備えている。底部１３０は、キーが形成された光ファイバコネクタ２００の延出部を収容して光ファイバコネクタ２００の向きを一貫して固定した状態で光ファイバコネクタ２００をキャビティ１１４内に挿入するために、キー溝１２８を有している。底部１３０の反対側の開放上部はカバー１３２によって閉ざされている。これを詳細に示しているのは図２６である。図１７〜図２１はコネクタホルダ１１０の更なる図である。
【００２４】
図２２〜図２７を参照すると、光ファイバコネクタ２００がキャビティ１１８内に配置された状態でコネクタホルダ１１０が示されている。ダストキャップ２０４はコネクタホルダ１１０の開口１１６から延びており、光ファイバコネクタ２００は開放端１１８を通るように挿入されている。
【００２５】
図２７及び図２８を参照すると、コネクタホルダ１１０は、更に、内側ハウジング１３４を備えている。該内側ハウジング１３４は、一対の互いに対向している取り外し可能な留め部１３６と、開口１３８と、を備えている。開口１３８はダストキャップ２０４を収容する大きさである。内側ハウジング１３４は、開放上部１４０を通ってメインハウジング１１２内に配置され、その際、開口１３８は開口１１６に隣接し、留め部１３６は開放端１１８に隣接した状態となる。次いで、カバー１３２が開放上部１４０内に配置され、そして、クリップ１２０がカバー１３２及びメインハウジング１１２の周囲に配置される。開放上部１４０内にてカバー１３２を、膠付け、超音波溶接、或いは、周知の各種締め付け技術によって、シールすることができる。光ファイバコネクタ２００は、該光ファイバコネクタ２００がホルダ１１０内に挿入されるときに留め部１３６を収容する一対の互いに対向する凹部２０６を備えている。
【００２６】
図示されるように、光ファイバコネクタ２００及びホルダ１１０はＳＣ型である。光ファイバコネクタ２００及びホルダ１１０は、本発明の趣旨から離れずに、他の型及び形態の電気コネクタ及び光ファイバアダプタに合わせる構成を備えることができる。
【００２７】
図２９を参照すると、メインハウジング１１２は、キャビティ１１４内にて内側ハウジング１３４のフランジを収容及び配置するために、キャビティ１１４の両側に沿ってスロット１４２を備えている。凹部１４４は、両側部１２６に沿って設けられており、クリップ１２０を収容する。開放上部１４０は棚部１４６を備えており、該棚部１４６の上にカバー１３２が配置されてキャビティ１１４を閉じる。外側隔壁１６８は開口１１６の一部を形成している。内側隔壁１４５は、外側隔壁１６８から離隔して配置されており、これらの隔壁は、協力してスロット１４２を画成する。隔壁１４５と隔壁１６８との間には位置決め表面１４３が形成されており、位置決め表面１４３はスロット１４２の底部を画成している。
【００２８】
図３０〜図３５を参照すると、内側ハウジング１３４は横断片１５０から延びている一対のクリップアーム１４８を備えている。光ファイバコネクタ２００のダストキャップ２０４を収容するための開口１３８は横断片１５０に形成されている。留め部１３６は、横断片１５０の反対側において、クリップアーム１４８の端部にある。横断片１５０は、メインハウジング１１２のスロット１４２内に収容される一対のフランジ１５２を備えている。図３２に示されるように、留め部１３６は、光ファイバコネクタ２００がコネクタホルダ１１０の開放端１１８を介してキャビティ１１４内に挿入される際に光ファイバコネクタ２００と係合する傾斜部１５４を備えている。クリップアーム１４８は外方に反れて光ファイバコネクタ２００が一対の留め部１３６の間を通ることができるようにする。光ファイバコネクタ２００が（図２７に示されるように）キャビティ１１４内に完全に挿入されると、留め部１３６は凹部２０６内に収容されて、各留め部１３６の保持表面１５６は光ファイバコネクタ２００をキャビティ１１４内に保持する。
【００２９】
内側ハウジング１３４は、２つの向きのいずれか一方の向きで、メインハウジング１１２のキャビティ１１４のスロット１４２内に挿入されるように形成されている。横断片１５０の一対の縁１６６は、カバー１３２及びメインハウジング１１２に対して内側ハウジングをキャビティ１１４内に適宜に配置させて、もって、開口１３８はダストキャップ２０４を収容するような位置に配設される。
【００３０】
図３６〜図４２を参照すると、カバー１３２は、外側表面１６８に沿ってクリップ１２０を収容するための凹部１５８を備えている。また、外側表面１６８には、目印となるマークを収容するための凹部１７２が形成されている。内側表面１７０に沿って一対の縁１６４が形成されており、該一対の縁１６４は、メインハウジング１１２の棚部１４６の上に配置されるように形成されている。外側フランジ１６０が内側表面１７０から延びており、該外側フランジ１６０はメインハウジング１１２内において隔壁１６８と協力して開口１１６を画成する。また、内側表面１７０からは、内側フランジ１６２も延びており、該内側フランジ１６２は、外側フランジ１６０から離隔してスロット１６３を画成する。スロット１６３はメインハウジング１１２のスロット１４２と協力して内側ハウジング１３４のフランジ１５２を収容する。
【００３１】
スロット１６３の上部には位置決め表面１６１が形成されており、該位置決め表面１６１は、内側ハウジング１３４の縁１６６の一方と協力して内側ハウジング１３４をキャビティ１１４内に配置して、もって、内側ハウジング１３４の開口１３８と開口１１６とは一直線上に配設される。コネクタホルダ１１０として組み立てられた際、メインハウジング１１２の位置決め表面１４３とカバー１３２の位置決め表面１６１とは協力して内側ハウジング１３４の両縁１６６と係合する。メインハウジング１１２のスロット１４２とカバー１３２のスロット１６３とは協力して内側ハウジング１３４のフランジ１５２を保持する。
【００３２】
図４３〜図４６を参照すると、クリップ１２０は、横断ピース１７４と、互いに対向している両側部１７６とを備えている。ばねクリップ１２２は両側部１７６に形成されている。両側部１７６はメインハウジング１１２の凹部１４４内に収容され、横断ピース１７４はカバー１３２の凹部１５８内に収容される。クリップ１２０は、隔壁の開口に対する挿入及び取り外しを簡単にするために弾性変形可能な金属で形成されていることは言うまでもない。ばねクリップ１２２は、それぞれ、端部１７８と傾斜表面１８０とを備えている。
【００３３】
図４７及び図４８は隔壁１８２の開口１８４内に挿入された光ファイバコネクタホルダ１１０を示している。隔壁１８２は、光ファイバケーブル同士の接続を複数提供するパネル等の通信交換設備の一部となっており、図４８に示されるように、光ファイバアダプタ用開口８４を複数備えている。又は、隔壁１８２はコネクタホルダモジュール３７である。若しくは、光ファイバコネクタホルダ１１０を１つしか必要としない場合は、隔壁１８２は開口１８４を１つだけ備えていればよい。
【００３４】
コネクタホルダ１１０の開放端１１８は、開口１８４の両側部１８６とばねクリップ１２２の傾斜表面１８０とが係合するまで、開口１８４を通るように挿入される。コネクタホルダ１１０を挿入し続けることによって、隔壁の開口の両側部１８６がばねクリップ１２２を両側部１２６に向かって内方に反らせる。ついには、ばねクリップ１２２の端部１７８は、隔壁の開口の両側部１８６を通過する。ばねクリップ１２２は、その後、図４７に示されるように、ばねの作用で元の状態に復帰し、隔壁の開口の両側部１８６を端部１７８とフランジ１２４との間に保持する。ばねクリップ１２２を圧縮させて挿入の方向とは反対の方向に移動させることによって、コネクタホルダ１１０を開口１８４から取り除くことができる。
【００３５】
若しくは、取り外し可能な締め付け具によってコネクタホルダ１１０を開口１８４内に取り付けることができるように、該締め付け具用の開口を備えるようにフランジ１２４を形成してもよい。
【００３６】
光ファイバアダプタ及びコネクタホルダを取り付けるための開口１８４が本願の出願人と同じ出願人が所有している米国特許第５４９７４４４号に記載されているようなスライディングアダプタパック（ｓｌｉｄｉｎｇ  ａｄａｐｔｅｒ  ｐａｃｋ）に形成されていることは言うまでもない。この米国特許第５４９７４４４号の開示内容を本書に含めることとする。
【００３７】
図４９〜図５２を参照すると、ダストキャップ２０４は、フェルール２０２が開放端２１０を通って挿入されるときにフェルール２０２を収容する中央開口２０８を備えている。開放端２１０の反対側には閉塞端２１２があり、該閉塞端２１２は、ダストキャップ２０４を取り除く際に握りやすくするためにローレット切り部２１４を有している。中央開口２０８はフェルール２０２の周囲に嵌められて該フェルール２０２の周囲にシールを提供し、且つ、ダストキャップを光ファイバコネクタ２００に保持する。フェルール２０２が挿入される際に（図２７参照）、中央開口２０８内における空気の体積が減少するため、１或いはそれ以上のらせん形状の凹部２１６が内壁２１８に沿って中央開口２０８内に設けられている。凹部２１６は隣接する閉塞端２１２から開放端２１０まで延びている。凹部２１６は不要な汚染物質の進入を防止するほど十分小さく、且つ、フェルール２０２が挿入される際には中央開口２０８内に移動した空気が排出できるようにし、もって、ダストキャップ２０４が光ファイバコネクタ２００に完全に適宜配置されることが可能となる。また、凹部２１６は、ダストキャップ２０４がフェルール２０２から引き抜かれる際に空気が中央開口２０８に入り込むことができるようにしている。また、各凹部２１６の形状は、ダストキャップ２０４がフェルール２０２に対して配置及び取り外されるときに、中央開口２０８に対して空気の出し入れができるようにするとともに、汚染物質が凹部１１６に沿って通ることを禁止する。
【００３８】
図５〜図８を参照すると、ハウジング１２を備えない状態でのキャビネット１０が示されている。ハウジング１２の両側部２６に隣接する一対の鉛直支持部材５１、５２は、キャビネット１０に取り付けられる装置の取り付け場所を提供している。ケーブル管理パネル５８は鉛直支持部材５１に取り付けられている。複数のケーブルスプール３０はパネル５８に取り付けられている。曲げ半径保護部材４２はパネル５８に隣接して各モジュールハウジング５６に取り付けられている。また、曲げ半径保護部材４２はスプール３０からモジュール３６或いはモジュール３７に延びているパッチコード４６、４８の曲げ半径を保っている。
【００３９】
ファンアウトモジュール３４の後部に取り付けられているのは、底部２０の開口１８を通り抜けてキャビネット１０に進入したサービスケーブルを固定するためのケーブルクランプ６０である。サービスケーブル、サービスケーブルのサブユニット或いは比較的小さな光ファイバ束は、クランプ６０から後部開口６２を通り抜けてファンアウトモジュール３４に入ることができる。パネル５８に取り付けられているスプール３０の他に、更なるスプール３０がファンアウトモジュール３４の前部に取り付けられており、パッチコード４６、４８の曲げ半径を保つ。パッチコード４６、４８は、ケーブルブレイクアウト部５４からこの更なるスプール３０を通ってパネル５８のケーブルスプール３０及びモジュール３６、３７の曲げ半径保護部材４２まで延びる。
【００４０】
図９及び図１０を参照すると、スプライスモジュール３２はハウジング６６内にスライド可能に取り付けられているスプライスドローワ６４を備えている。スプライスモジュールハウジング６６は、スプライスモジュール３２をパネル５８及び鉛直支持部材５２に取り付けるための一対の取り付けフランジ７２、７４を備えている。ロッキングドローワラッチ（ｌｏｃｋｉｎｇ  ｄｒａｗｅｒ  ｌａｔｃｈ）６８は、ドローワ６４に備えられておりスプライスモジュール３２内のスプライス箇所への不要なアクセス或いは突発的なアクセスを防いでいる。モジュール３６から延びている光ファイバケーブルがハウジング６６に進入してドローワ６４内でスプライスされるようにするべく後部開口７０が設けられている。
【００４１】
図１１及び図１２を参照すると、ファンアウトモジュール３４の前面には１８個のケーブルブレイクアウト部５４が取り付けられている。ファンアウトモジュール３４は、また、パネル５８に取り付けられるフランジ７２と、鉛直支持部材５２に取り付けられるフランジ７４と、を備えている。
【００４２】
図１３及び図１４を参照すると、モジュールハウジング５６は、アダプタモジュール３６及びコネクタホルダモジュール３７の土台となるシェルとなっている。ハウジング５６の前面８４は４つの開口８２を備える。開口８２は最大で８つの光ファイバアダプタ５０又はコネクタホルダ１１０を収容するような大きさと形状とを有しており、合計３２本のパッチコード４６又は４８が収容されるようになっている。これらの光ファイバアダプタ５０或いはコネクタホルダ１１０は、本願の出願人所有の米国特許第５２１４７３５号に開示されているような保持クリップによって開口８２内に保持される。この米国特許公報の内容を本書に含めることとする。モジュールハウジング５６は、また、内側スペース８６を画成している。モジュールハウジング５６の側壁７８にはケーブル出口部８０が形成されている。モジュールハウジング５６がアダプタモジュール３６に使用される場合、開口８２内に取り付けられた各光ファイバアダプタの後側には光ファイバコネクタ２００が挿入され、該光ファイバコネクタ２００は、該光ファイバアダプタの前側に挿入されたパッチコード４６の光ファイバコネクタ２００と光学的に接続する。光ファイバアダプタの後側に挿入される光ファイバコネクタ２００は、ケーブル出口部８０を通る光ファイバケーブルを終端する。
【００４３】
代替的に、アダプタモジュール３６は、スペース８６内にスプリッタを備えることができる。その際、各光ファイバアダプタ５０の後部に取り付けられた光ファイバコネクタ２００は、スプリッタに光学的に接続される。そこでスプリッタは、所定のモジュール３６の各光ファイバアダプタからの信号を合成して１本の光ファイバケーブルに送る。この光ファイバケーブルは、ケーブル出口部８０を介してモジュール３６を出てスプライスモジュール３２の後部開口７０まで延びる。モジュール３６の最大３２個の光ファイバアダプタに接続されるパッチコード４６から送られて合成された信号を伝達する光ファイバケーブルは、該合成信号を下流の装置或いは顧客に分配するために、スプライスモジュール３２内で他の光ファイバケーブルにスプライスされる。
【００４４】
図示されるように、キャビネット１０は、後壁２３にアクセス開口を形成していないので、前側からのアクセスのみを可能にする形状をしている。この他に考えられるキャビネット１０のハウジング１２の形状として、内側１３への更なるアクセスを提供するような形状でもよい。キャビネット１０内に光ファイバサービスケーブルを接続する好適な方法を用いることによって、ハウジング１２内に取り付けられた装置の後部にアクセスする必要性が低くなる。
【００４５】
サービスケーブルをキャビネット１０内に接続する際、サービスケーブルは底部２０の開口１８を通ってキャビネット１０内に進入する。サービスケーブルは、鉛直支持部材５１、５２に取り付けられている装置と後壁２３との間のスペースに入り込んでファンアウトモジュール３４の後部にクランプ６０によって押さえ付けられる。クランプ６０からマルチストランド電気通信サービスケーブルは複数のサブユニットに分割されて開口６２を通り抜けてファンアウトモジュール３４の内部６１に入る。サブユニットのマルチストランド電気通信サービスケーブルは、内部６１で更に分割されて個々のファイバとなる。該ファイバはケーブルブレイクアウト部５４に案内される。このケーブルブレイクアウト部５４において、ファイバは内部６１から出て、好ましくは標準パッチコード４６又は４８にアップジャケット（ｕｐ−ｊａｃｋｅｔｅｄ）される。標準パッチコード４６又は４８は光ファイバコネクタ２００で終端されている。パッチコード４６、４８は１．７ｍｍ、２．０ｍｍ等の標準サイズのパッチコード、或いは、キャビネット１０内の特定のルートを伝っていけるような適当なサイズのパッチコードである。
【００４６】
パッチコード４６、４８は、ブレイクアウト部５４から出て、ファンアウトモジュール３４に取り付けられているスプール３０を伝って、パネル５８に取り付けられているスプール３０に向かう。パッチコード４６、４８は、これらのスプールから、曲げ半径保護部材４２を通過し、光ファイバコネクタ２００は、光ファイバアダプタ５０及びコネクタホルダ１１０にそれぞれ挿入される。上述の如く、パッチコード４６は、光ファイバアダプタ５０及び可能であればアダプタモジュール３６の内部８６のスプリッタを介してスプライスモジュール３２に光学的に接続され、そして、下流の装置に光学的に接続される。上述したように、パッチコード４８は、将来使用されることを考慮して、コネクタホルダ１１０に保管される。その際、研磨された端面を損傷或いは汚染物から保護するために所定の位置にダストキャップ１０４が配置される。
【００４７】
新規の顧客がサービスを求めたり既存の顧客がサービスを拡張することを求めている場合のように、下流にある装置に接続するために、保管されたパッチコード４８、即ち、動作状態にないパッチコード４８が一本必要であるとき、動作状態にない所望のパッチコード４８はコネクタホルダ１１０から取り外される。ダストキャップ１０４は光ファイバコネクタ２００のフェルール２０２から取り除かれる。また、パネル５８に取り付けられたスプール３０に配置されているパッチコード４８の一部が該スプール３０から取り外される。次いで、このパッチコードは所定のルートを伝って動かされ、光ファイバコネクタ２００は、下流の装置に接続されるための所望の光ファイバアダプタ５０に隣接する。この時点で、以前は動作状態にはなかったパッチコード４８が動作状態のパッチコード４６となり、所望の適当な光ファイバアダプタ５０に挿入される。顧客或いは下流にある他の装置によって、これまでに必要とされてきた回路がもはや必要ではないとき、上記の過程を逆に行うことによって、動作状態にあるパッチコード４６は動作状態にないパッチコード４８に変わる。
【００４８】
上記のキャビネット１０を形成することによって、新規の顧客或いは既存の顧客のために回路を接続したり、回路を動作させないために技術者が現場で求められる作業は、開口１６を介して前側からアクセスすることだけである。
【００４９】
上記実施例及びそれに開示されたデータを含む本願明細書は本発明の使用及び製造について説明している。本発明の趣旨を逸脱しない限り本発明の実施例が数多く可能であることから、本発明は添付の特許請求の範囲にて記載することとする。
【００５０】
本願の一部を構成する添付の図面は、明細書とともに本発明の概念を幾つか示しており、本発明の原理を説明する役割を担っている。図面の簡単な説明を以下で行う。
【図面の簡単な説明】
【００５１】
【図１】アクセスドアが開いた状態の本発明に係わる電気通信接続キャビネットの前方斜視図。
【図２】パッチコードの経路を示した図１の電気通信接続キャビネットの前面図。
【図３】光ファイバアダプタ及びコネクタホルダが取り除かれた状態の図１の電気通信接続キャビネットの前面図。
【図４】図３の電気通信接続キャビネットの後面図。
【図５】図１の電気通信キャビネットから取り外されたラック、モジュール、及びケーブル管理装置の前方斜視図。
【図６】図５のラック、モジュール、及びケーブル管理構造体の後方斜視図。
【図７】図５のラック、モジュール、及びケーブル管理構造体の前面図。
【図８】図５のラック、モジュール、及びケーブル管理構造体の後面図。
【図９】図１の電気通信接続キャビネットに使用されるスプライスドローワモジュールの前方斜視図。
【図１０】図１の電気通信接続キャビネットに使用されるスプライスドローワモジュールの後方斜視図。
【図１１】図１の電気通信接続キャビネットに使用されるファンアウトモジュールの前方斜視図。
【図１２】図１の電気通信接続キャビネットに使用されるファンアウトモジュールの後方斜視図。
【図１３】図１の電気通信接続キャビネットのアダプタモジュール或いはスプリッタモジュールのシャーシの前方斜視図。
【図１４】図１の電気通信接続キャビネットのアダプタモジュール或いはスプリッタモジュールのシャーシの後方斜視図。
【図１５】本発明に係わる光ファイバコネクタホルダの第１斜視図。
【図１６】図１５の光ファイバコネクタホルダの第２斜視図。
【図１７】図１５の光ファイバコネクタホルダの平面図。
【図１８】図１５の光ファイバコネクタホルダの底面図。
【図１９】図１５の光ファイバコネクタホルダの第１端面図。
【図２０】図１５の光ファイバコネクタホルダの側面図。
【図２１】図１５の光ファイバコネクタホルダの第２端面図、即ち、図１９に示された端面とは反対側の端面を示す図。
【図２２】光ファイバコネクタを保持するシステムの第１斜視図であって、該システムを構成する図１５の光ファイバコネクタホルダに光ファイバコネクタが挿入された状態が示された図。
【図２３】図２２の光ファイバコネクタを保持するシステムの第２斜視図。
【図２４】図２２の光ファイバコネクタを保持するシステムの平面図。
【図２５】図２２の光ファイバコネクタを保持するシステムの側面図。
【図２６】図２２の光ファイバコネクタを保持するシステムの端面図。
【図２７】図２５のＡ−Ａ線に沿って切り取られた図２２の光ファイバコネクタを保持するシステムの断面図。
【図２８】図２２の光ファイバコネクタを保持するシステムの分解斜視図。
【図２９】図１５の光ファイバコネクタホルダのメインハウジングの斜視図。
【図３０】図１５の光ファイバコネクタホルダの内側ハウジングの第１斜視図。
【図３１】図３０の内側ハウジングの第２斜視図。
【図３２】図３０の内側ハウジングの平面図。
【図３３】図３０の内側ハウジングの側面図。
【図３４】図３０の内側ハウジングの第１端面図。
【図３５】図３０の内側ハウジングの第２端面図。
【図３６】図１５の光ファイバコネクタホルダのカバーの第１斜視図。
【図３７】図３６のカバーの第２斜視図。
【図３８】図３６のカバーの平面図。
【図３９】図３６のカバーの側面図。
【図４０】図３６のカバーの底面図。
【図４１】図３６のカバーの第１端面図。
【図４２】図３６のカバーの第２端面図。
【図４３】図２９の光ファイバコネクタホルダのクリップの斜視図。
【図４４】図４３のクリップの端面図。
【図４５】図４３のクリップの側面図。
【図４６】図４３のクリップの底面図。
【図４７】隔壁の開口内に挿入されている図１５の光ファイバコネクタホルダの平面図。
【図４８】光ファイバコネクタアダプタを収容する複数の開口を備えている隔壁と、該複数の開口のうちの１つに挿入されている図１５の光ファイバコネクタホルダとの斜視図。
【図４９】図２８の光ファイバコネクタのダストキャップの斜視図。
【図５０】図４９のダストキャップの側面図。
【図５１】図４９のダストキャップの端面図。
【図５２】図４９のダストキャップの断面図。
【図１】
0004511530.tif 000002
【図２】
0004511530.tif 000003
【図３】
0004511530.tif 000004
【図４】
0004511530.tif 000005
【図５】
0004511530.tif 000006
【図６】
0004511530.tif 000007
【図７】
0004511530.tif 000008
【図８】
0004511530.tif 000009
【図９】
0004511530.tif 000010
【図１０】
0004511530.tif 000011
【図１１】
0004511530.tif 000012
【図１２】
0004511530.tif 000013
【図１３】
0004511530.tif 000014
【図１４】
0004511530.tif 000015
【図１５】
0004511530.tif 000016
【図１６】
0004511530.tif 000017
【図１７】
0004511530.tif 000018
【図１８】
0004511530.tif 000019
【図１９】
0004511530.tif 000020
【図２０】
0004511530.tif 000021
【図２１】
0004511530.tif 000022
【図２２】
0004511530.tif 000023
【図２３】
0004511530.tif 000024
【図２４】
0004511530.tif 000025
【図２５】
0004511530.tif 000026
【図２６】
0004511530.tif 000027
【図２７】
0004511530.tif 000028
【図２８】
0004511530.tif 000029
【図２９】
0004511530.tif 000030
【図３０】
0004511530.tif 000031
【図３１】
0004511530.tif 000032
【図３２】
0004511530.tif 000033
【図３３】
0004511530.tif 000034
【図３４】
0004511530.tif 000035
【図３５】
0004511530.tif 000036
【図３６】
0004511530.tif 000037
【図３７】
0004511530.tif 000038
【図３８】
0004511530.tif 000039
【図３９】
0004511530.tif 000040
【図４０】
0004511530.tif 000041
【図４１】
0004511530.tif 000042
【図４２】
0004511530.tif 000043
【図４３】
0004511530.tif 000044
【図４４】
0004511530.tif 000045
【図４５】
0004511530.tif 000046
【図４６】
0004511530.tif 000047
【図４７】
0004511530.tif 000048
【図４８】
0004511530.tif 000049
【図４９】
0004511530.tif 000050
【図５０】
0004511530.tif 000051
【図５１】
0004511530.tif 000052
【図５２】
0004511530.tif 000053